【手続補正書】
【提出日】平成24年6月15日(2012.6.15)
【手続補正１】
【補正対象書類名】明細書
【補正対象項目名】００３４
【補正方法】変更
【補正の内容】
【００３４】
ＴＤＳ１００は、この図に示す比較的詳細な表示により、回路の観点からいくつかの形を取ることができる。しかしながら、正確な回路構成は、標準規格が展開したときのＳＤ及びＡＤ型装置の最終的仕様により、本発明による実施形態から逸脱することなく異なる場合がある。この実施形態では、ＳＤ型装置からの信号がアンテナ１０４で受信され、ＳＤ型トランシーバ１２０の受信機部分により処理されて処理用のダウンコンバート信号を生成する。受信機の動作の一部として、ＳＤ型装置からの信号を低雑音増幅器（ＬＮＡ）によって処理することができ、このようなＬＮＡ１２４は、便宜上外部的に示してはいるが、トランシーバ１２０の受信機部分の一部と考えることができる。一般に、このようなＬＮＡ１２４は、出力ではなく着信信号の信号対雑音比を保つために信号チェーン内の最初の部分に位置し、強すぎる入力信号を減衰するために１未満の利得を提供することもできる。従って、いくつかの実施形態では、実際にＬＮＡ１２４を減衰器として実現することができる。ＬＮＡ１２４はＡＧＣ（図示せず）を組み込むことができる。
【手続補正２】
【補正対象書類名】明細書
【補正対象項目名】００３７
【補正方法】変更
【補正の内容】
【００３７】
データ及びシグナリングが復調器／復号器１２８で復号化されると、シグナリングトランスレータブロック１３８において、シグナリングがＳＤ互換シグナリングからＡＤ互換シグナリングにトランスレートされる。シグナリングトランスレータ１３８からトランスレートされたシグナリングのように、誤り訂正を受けたデータがＦＥＣ１３２からＡＤ型符号器／変調器１４２に渡される。次に、このトランスレート済みシグナリング及び回復済みデータが、１４２においてＡＤ型装置の仕様に準拠して変調及び符号化される。ＡＤ型装置はＳＤ型装置よりも大きな帯域幅を有することができるので、１４６においてパケットスタッフィングを使用して、送信データレートを２つのフォーマット間で均等化するためのフィラーを提供することができる。次に、ＡＤ型符号器／変調器の出力がＡＤ型送信機１５０に供給され、この出力をＡＧＣ１５４により、送信出力を（ＴＶ４０などの）受信者装置との固体通信に必要な出力に低減するようにＡＧＣ制御することができる。次に、送信機が送信のためにこの出力をインテリジェントアンテナアレイ１０８へ送る。アンテナアレイ１０８は、提案される標準規格に準拠してビーム形成及び操作制御１５６を使用して動作することができる。
【手続補正３】
【補正対象書類名】明細書
【補正対象項目名】００３８
【補正方法】変更
【補正の内容】
【００３８】
本実施形態は双方向通信を想定しており、この場合インテリジェントアンテナアレイ１０８（又は別のインテリジェントアンテナアレイ）が、例えばテレビ受信機装置４０からの着信信号も受信し、ビーム形成及び操作制御１５６によりアンテナの特性を操作して、この着信信号の受信を最適化する。インテリジェントアンテナアレイ１０８における受信信号をＡＤ型受信機１６０で処理して、ＡＤ型復調器／復号器１６４における復号化及び復調のために受信信号をダウンコンバートする。トランシーバ１２０の受信機部分のように、ＡＤ型受信機１６０は、低雑音増幅器１６８又は減衰器を組み込むことができ、ＡＤ型復調器／復号器１６４は、クロック回復回路１７２を組み込むことができる。
【手続補正４】
【補正対象書類名】明細書
【補正対象項目名】００３９
【補正方法】変更
【補正の内容】
【００３９】
１７８において、ＡＤ型シグナリングからＳＤ型シグナリングへのシグナリングトランスレーションが行われ、このようなシグナリングが、ＳＤ型データに変換された際に潜在的に高いデータレートタイプであるＡＤデータのデータレートの均等化を支援するために使用されるデータバッファ１８２へ転送される。データバッファリングの使用に加え、装置１００はまた、ＳＤ装置３０の低機能にマッチさせるために、データのＡＤソースをシグナリングして（例えば、肯定応答プロトコル又は他のそのデータレートマッチング技術などの）様々なシグナリング技術を使用してデータレートを「絞る」こともできる。同様に、ＦＥＣ１８６において復調済みデータが誤り訂正及び誤り訂正符号化を受け、同様に、このデータがＳＤ型変調器／符号器１９０へ転送されて、トランシーバ１２０の送信機部分によりＳＤ装置３０へ送信される。
【手続補正５】
【補正対象書類名】特許請求の範囲
【補正対象項目名】全文
【補正方法】変更
【補正の内容】
【特許請求の範囲】
【請求項１】
ＳＤ型装置互換送信を受信するためのＳＤ型６０ＧＨｚ帯域受信機と、
前記ＳＤ型送信を復調するための復調器と、
前記復調済みのＳＤ型送信を受信データに復号化するための復号器と、
前記受信データを符号化してＡＤ型送信機互換データを生成するためのＡＤ型符号器と、
前記ＡＤ型送信機互換データを変調するためのＡＤ型変調器と、
前記変調済みのＡＤ型送信機互換データを送信するためのＡＤ型６０ＧＨｚ帯域送信機と、
ＡＤ型装置互換送信を受信するためのＡＤ型６０ＧＨｚ帯域受信機と、
前記ＡＤ型送信を復調するための復調器と、
前記復調済みのＡＤ型送信を受信データに復号化するための復号器と、
前記受信データを符号化してＳＤ型送信機互換データを生成するためのＳＤ型符号器と、
前記ＳＤ型送信機互換データを変調するためのＳＤ型変調器と、
前記変調済みのＳＤ型送信互換データを送信するためのＳＤ型６０ＧＨｚ帯域送信機と、
を含むことを特徴とするトランスレーショントランシーバ装置。
【請求項２】
前記ＳＤ型装置のバッテリを充電するための充電手段をさらに含む、
ことを特徴とする請求項１に記載のトランスレーショントランシーバ装置。
【請求項３】
ビーム形成可能及び操作可能アンテナアレイを使用して、前記ＡＤ型送信機が送信を行い、前記ＡＤ型６０ＧＨｚ帯域受信機が受信を行う、
ことを特徴とする請求項１に記載のトランスレーショントランシーバ装置。
【請求項４】
前記ＳＤ型装置を機械的に受け入れるためのクレードルをさらに含む、
ことを特徴とする請求項１に記載のトランスレーショントランシーバ装置。
【請求項５】
前記ＳＤ型装置に電力を供給して前記ＳＤ型装置に充電又は給電を行うための電源をさらに含む、
ことを特徴とする請求項１に記載のトランスレーショントランシーバ装置。
【請求項６】
前記電源が、直接接続電源及び誘導電源の一方を含む、
ことを特徴とする請求項５に記載のトランスレーショントランシーバ装置。
【請求項７】
前記ＳＤ型装置のデータスループットが最適化される、
ことを特徴とする請求項１に記載のトランスレーショントランシーバ。
【請求項８】
前記ＳＤ型装置が、タイプＩ装置及びタイプII装置のハイブリッド機能を有する装置を含む、
ことを特徴とする請求項１に記載のトランスレーショントランシーバ装置。
【請求項９】
前記ＡＤ型装置が、タイプII装置及びタイプIII装置のハイブリッド機能を有する装置を含む、
ことを特徴とする請求項１に記載のトランスレーショントランシーバ装置。
【請求項１０】
前記ＳＤ型装置が、タイプＩ装置及びタイプII装置の一方を含む、
ことを特徴とする請求項１に記載のトランスレーショントランシーバ装置。
【請求項１１】
前記ＡＤ型装置が、タイプII装置及びタイプIII装置の一方を含む、
ことを特徴とする請求項１に記載のトランスレーショントランシーバ装置。
【請求項１２】
ＳＤ型装置互換送信を受信するための６０ＧＨｚ帯域受信機と、
前記ＳＤ型送信を復調するための復調器と、
前記復調済みのＳＤ型送信を受信データに復号化するための復号器と、
前記受信データを符号化してＡＤ型送信機互換データを生成するためのＡＤ型符号器と、
前記ＡＤ型送信機互換データを変調するためのＡＤ型変調器と、
前記変調済みのＡＤ型送信機互換データを送信するためのＡＤ型６０ＧＨｚ帯域送信機と、
を含むことを特徴とするトランスレーショントランシーバ装置。
【請求項１３】
前記ＳＤ型装置のバッテリを充電するための充電手段をさらに含む、
ことを特徴とする請求項１２に記載のトランスレーショントランシーバ装置。
【請求項１４】
ＡＤ型装置互換送信を受信するための６０ＧＨｚ帯域受信機と、
前記ＡＤ型送信を復調するための復調器と、
前記復調済みのＡＤ型送信を受信データに復号化するための復号器と、
前記受信データを符号化してＳＤ型送信機互換データを生成するためのＳＤ型符号器と、
前記ＳＤ型送信機互換データを変調するためのＳＤ型変調器と、
前記変調済みのＳＤ型送信機互換データを送信するためのＳＤ型６０ＧＨｚ帯域送信機と、
をさらに含み、前記ＡＤ型送信機が、ビーム形成可能及び操作可能アンテナアレイを含む、
ことを特徴とする請求項１３に記載のトランスレーショントランシーバ装置。
【請求項１５】
前記ＳＤ型装置を機械的に受け入れるためのクレードルをさらに含む、
ことを特徴とする請求項１４に記載のトランスレーショントランシーバ装置。
【請求項１６】
前記ＳＤ型装置に電力を供給して前記ＳＤ型装置に充電又は給電を行うための電源をさらに含む、
ことを特徴とする請求項１４に記載のトランスレーショントランシーバ装置。
【請求項１７】
前記電源が、直接接続電源及び誘導電源の一方を含む、
ことを特徴とする請求項１６に記載のトランスレーショントランシーバ装置。
【請求項１８】
前記ＳＤ型装置が、タイプＩ装置及びタイプII装置のハイブリッド機能を有する装置を含む、
ことを特徴とする請求項１４に記載のトランスレーショントランシーバ装置。
【請求項１９】
前記ＡＤ型装置が、タイプII装置及びタイプIII装置のハイブリッド機能を有する装置を含む、
ことを特徴とする請求項１４に記載のトランスレーショントランシーバ装置。
【請求項２０】
前記ＳＤ型装置が、タイプＩ装置及びタイプII装置の一方を含む、
ことを特徴とする請求項１４に記載のトランスレーショントランシーバ装置。
【請求項２１】
前記ＡＤ型装置が、タイプII装置及びタイプIII装置の一方を含む、
ことを特徴とする請求項１４に記載のトランスレーショントランシーバ装置。
【請求項２２】
ＳＤ型装置互換送信を受信するためのＳＤ型６０ＧＨｚ帯域受信機と、
前記ＳＤ型送信を復調するための復調器と、
前記復調済みのＳＤ型送信を受信データに復号化するための復号器と、
前記受信データを符号化してＡＤ型送信機互換データを生成するためのＡＤ型符号器と、
前記ＡＤ型送信機互換データを変調するためのＡＤ型変調器と、
前記変調済みのＡＤ型送信機互換データを送信するためのＡＤ型６０ＧＨｚ帯域送信機と、
ＡＤ型装置互換送信を受信するためのＡＤ型６０ＧＨｚ帯域受信機と、
前記ＡＤ型送信を復調するための復調器と、
前記復調済みのＡＤ型送信を受信データに復号化するための復号器と、
前記受信データを符号化してＳＤ型送信機互換データを生成するためのＳＤ型符号器と、
前記ＳＤ型送信機互換データを変調するためのＳＤ型変調器と、
前記変調済みのＳＤ型送信機互換データを送信するためのＳＤ型６０ＧＨｚ帯域送信機と、
前記ＡＤ型送信機及び前記ＡＤ型６０ＧＨｚ帯域受信機が使用するビーム形成可能及び操作可能アンテナアレイと、
前記ＳＤ型装置を機械的に受け入れるためのクレードルと、
前記ＳＤ型装置に電力を供給して前記ＳＤ型装置に充電又は給電を行うための電源と、を含むことを特徴とするトランスレーショントランシーバ装置。
【請求項２３】
前記電源が、直接接続電源及び誘導電源の一方を含む、
ことを特徴とする請求項２２に記載のトランスレーショントランシーバ装置。
【請求項２４】
前記ＡＤ型受信信号及び前記ＳＤ型受信信号からそれぞれクロック信号を回復する第１及び第２のクロック回復回路をさらに含む、
ことを特徴とする請求項２２に記載のトランスレーショントランシーバ装置。
【請求項２５】
前記ＳＤ型装置が、タイプＩ装置及びタイプII装置のハイブリッド機能を有する装置を含む、
ことを特徴とする請求項２２に記載のトランスレーショントランシーバ装置。
【請求項２６】
前記ＡＤ型装置が、タイプII装置及びタイプIII装置のハイブリッド機能を有する装置を含む、
ことを特徴とする請求項２２に記載のトランスレーショントランシーバ装置。
【請求項２７】
前記ＳＤ型装置が、タイプＩ装置及びタイプII装置の一方を含む、
ことを特徴とする請求項２２に記載のトランスレーショントランシーバ装置。
【請求項２８】
前記ＡＤ型装置が、タイプII装置及びタイプIII装置の一方を含む、
ことを特徴とする請求項２２に記載のトランスレーショントランシーバ装置。
【手続補正６】
【補正対象書類名】図面
【補正対象項目名】図５
【補正方法】変更
【補正の内容】
【図５】
2011509636.tif 000001
【手続補正７】
【補正対象書類名】図面
【補正対象項目名】図６
【補正方法】変更
【補正の内容】
【図６】
2011509636.tif 000002
【手続補正８】
【補正対象書類名】図面
【補正対象項目名】図７
【補正方法】変更
【補正の内容】
【図７】
2011509636.tif 000003